(57)【要約】【課題】  雑菌や害虫を繁殖させない屋内緑化を低コストで実現する。【解決手段】  容器２の内側に籠４を入れ、籠４の中に蓬莱竹１を立てる。そして、蓬莱竹１の根元を囲むように小石大のゼオライト５を入れ、ゼオライト５で根元を押えて蓬莱竹１を立位姿勢に保持する。そして、水（殺菌済み蒸留水）６を注ぎ、ゼオライト５で囲んだ蓬莱竹１の根元を籠４ごと水６に浸す。これを多数並べて竹林のようにすることもでき、例えば病院等で患者さんにやさしい屋内緑化を実現できる。籠４は必ずしもなくてよい。また、この方法で蓬莱竹以外の竹を栽培してもよい。【選択図】        図１
2006254764.tif 000002
【特許請求の範囲】
【請求項１】
根元をゼオライトで囲んで水に浸し、土を使用せずに屋内で竹を栽培することを特徴とする土なし栽培による屋内緑化方法。
【請求項２】
水栽培に使用可能な容器を屋内に設置し、該容器内で根元をゼオライトで囲んで水に浸し、土を使用せずに屋内で竹を栽培することを特徴とする土なし栽培による屋内緑化方法。
【請求項３】
根元を籠に入れてゼオライトで囲み、籠ごと水に浸すことを特徴とする請求項１または２記載の土なし栽培による屋内緑化方法。
【請求項４】
殺菌済み蒸留水を使用することを特徴とする請求項１、２または３記載の土なし栽培による屋内緑化方法。
【請求項５】
蓬莱竹を栽培することを特徴とする請求項１、２、３または４記載の土なし栽培による屋内緑化方法。
【請求項６】
病院その他の医療施設内で栽培することを特徴とする請求項１、２、３、４または５記載の土なし栽培による屋内緑化方法。
【発明の詳細な説明】
【技術分野】
【０００１】
本発明は、雑菌や害虫を屋内に持ち込んだり繁殖させたりすることなく、脱臭効果、空気浄化作用、抗菌効果、癒し効果等に優れた竹の屋内での栽培を可能とする、竹の土なし栽培による屋内緑化の方法に関するものである。
【背景技術】
【０００２】
植物の緑は人の心を癒し、心身に様々な好ましい効果をもたらす。病院の待合室等をそうした植物の緑であふれさせれば、その効果は絶大である。しかし、鉢植えやプランター植えの植物は、土や肥料が雑菌や害虫の繁殖場となるため院内に持ち込むことができない。土を使わない栽培方法もあるが、その場合も土の代替物を使うのであればそれがやはり雑菌や害虫の繁殖場となるし、やはり肥料を使用するのであればそれが雑菌や害虫の繁殖を助長する。また、水栽培という方法もあるが、その場合も、肥料を使用せず、動力ポンプ等を使って小まめに水質浄化を行うようにしないと雑菌や害虫が繁殖する。しかし、屋内で肥料を使用せず水だけで長期間植物を栽培するのは困難で、枯れない前に新しいものと交換する必要がある。また、水質浄化のために動力ポンプ等を使うのでは、費用がかかり、管理も面倒である。
【０００３】
このように、従来は、雑菌や害虫を繁殖させない屋内緑化を安価且つ容易に実現することができなかった。
【０００４】
なお、屋内緑化と直接の関係はないが、環境汚染対策の分野では、土の浄化、空気の浄化のほか、水の浄化にも有効な資材として、ゼオライトを利用したものが従来から知られている（例えば、特許文献１参照。）。
【特許文献１】特開２００３−４８７８８号公報
【発明の開示】
【発明が解決しようとする課題】
【０００５】
上述のとおり、従来の栽培方法では、雑菌や害虫を繁殖させない屋内緑化を低コストで実現することはできなかった。しかし、雑菌や害虫を繁殖させずコストのかからない屋内緑化は、特に病院等においてその重要性が認識され、実現が待ち望まれている。
【０００６】
本発明はこうした事情に鑑みてなされたものであり、雑菌や害虫を繁殖させない屋内緑化を低コストで実現することを目的とする。
【課題を解決するための手段】
【０００７】
本発明は、蓬莱竹に代表される観賞用の竹は根を水に浸して栽培すれば土や肥料がなくても屋内で比較的長い期間活性を保つことができ、しかも、竹は脱臭効果、空気浄化作用、抗菌効果、癒し効果等に優れていて、病院等の緑化に最適であることに着目し、この竹の土なし栽培による屋内緑化を実用化すべく鋭意研究の結果、竹の根元をゼオライトを入れた水に浸すことにより、竹の根が本来持っている水質浄化能力とゼオライトの持つ水質浄化作用とで、水質浄化のための動力ポンプを使わずとも水を足すだけで長期間にわたり水質をきれいなまま保つことができるようになり、また、竹の根元を囲むようゼオライトを配することで、竹を安定した立位姿勢に保つようにでき、雑菌や害虫を繁殖させない屋内緑化を低コストで実現できることを見出したものである。
【０００８】
すなわち、本発明の土なし栽培による屋内緑化方法は、例えば、水栽培に使用可能な容器を屋内に設置し、該容器内で根元をゼオライトで囲んで水に浸し、土を使用せずに屋内で竹を栽培するものである。使用する容器は、陶器製、ガラス製、プラスチック製、ステンレス製等その他で、穴の無い植木鉢状や深皿状、プランター状のものでよく、花瓶状やグラス状のものでもよい。その他様々な形状の容器を使用できる。容器の材質は、陶器、ガラス、プラスチック、ステンレス等がよい。また、屋内に栽培用の池を造ってもよい。
【０００９】
このように竹の根元をゼオライトで囲んで水に浸すことにより、竹の根の水質浄化能力とゼオライトの持つ水質浄化作用により、長期間にわたり水質をきれいなまま保つことができ、水質浄化のための動力ポンプを使わなくてもよく、水を足すだけの管理でよくなる。また、竹は根元をゼオライトで囲むことにより安定した立位姿勢を保つようにできる。竹の立位姿勢をより安定させるため、あるいは、水の入れ替えや容器の掃除を容易に行えるようにするためには、根元を例えば籠に入れてゼオライトで囲み、籠ごと水に浸すようにするのがよい。また、雑菌の持ち込みをより確実に防止するには、使用する水を殺菌済み蒸留水とするのがよい。
【００１０】
竹はこの状態で肥料を使用せずに屋内で比較的長い期間活性を保つことができる。特に、蓬莱竹はこの方法で２年以上もたせることができる。そのため、雑菌や害虫を室内の持ち込まないようにでき、雑菌や害虫を繁殖させない屋内緑化を低コストで実現できる。
【００１１】
そして、この方法で屋内緑化を実現することにより、竹の持つ脱臭、空気浄化、抗菌等の作用と、ゼオライトの持つ塵等の吸着、消臭、空気浄化等の作用とで、屋内の清浄化が進むとともに、人は竹の枝葉の鮮緑色にさわやかさを感じ、サラサラという葉ずれの音に涼しげさを感じ、また、竹の枝葉の風雅に張り出す様が見る人の心を落ち着かせ、そうしたものも含めて竹の緑が心の癒しとなり、頭の疲れもとれ、ひいては身体の疲れもとれ、疲労回復につながり、心身が活性化する。
【００１２】
特に、この方法は病院その他の医療施設内の緑化に最適で、例えば病院の待合室等にこの方法で竹林を形成し、室内竹林庭園といった趣になるようにするなど、患者さんにやさしい屋内緑化を実現できる。
【発明の効果】
【００１３】
以上の説明から明らかなように、本発明によれば、雑菌や害虫を屋内に持ち込んだり繁殖させたりすることなく、脱臭効果、空気浄化作用、抗菌効果、癒し効果等に優れた竹を屋内で長期間栽培でき、特に病院等の患者さんにやさしい屋内緑化を実現できる。
【発明を実施するための最良の形態】
【００１４】
図１は発明の実施の形態の一例における竹栽培方法を示している。図１において、１は蓬莱竹である。この例では、例えば塩ビ製深皿状の容器２を屋内の例えば床面３の上に置き、その容器２の内側に容器２と略同形で寸法のやや小さい手提げ式の籠４を入れ、その籠４の中に蓬莱竹１を立てる。そして、蓬莱竹１の根元を囲むように小石大のゼオライト５を入れ、ゼオライト５で根元を押えて蓬莱竹１を立位姿勢に保持する。そして、水（殺菌済み蒸留水）６を注ぎ、ゼオライト５で囲んだ蓬莱竹１の根元を籠４ごと水６に浸す。
【００１５】
こうして屋内で蓬莱竹１を栽培することができる。そして、これを多数並べて竹林のようにすることもできる。
【００１６】
この方法により、蓬莱竹の場合は２年以上もたせることができ、雑菌や害虫を繁殖させない屋内緑化を低コストで実現できる。そして、蓬莱竹１の脱臭、空気浄化、抗菌等の作用と、ゼオライト５の塵等の吸着、消臭、空気浄化等の作用とが合わさって、屋内を清浄化するとともに、竹の癒し効果で心身を活性化でき、特に、病院その他の医療施設等で患者さんにやさしい屋内緑化を実現できる。勿論、病院以外の屋内緑化にも好適である。
【００１７】
容器２は、陶器製、ガラス製、プラスチック製、ステンレス製等、様々であってよく、形状も穴の無い植木鉢状あるいは深皿状や、プランター状や、花瓶状やグラス状その他、様々なものであってよい。
【００１８】
また、籠４は、蓬莱竹１の根やゼオライト５に引っ掛かりを与えて竹の立位姿勢をより安定させ、また、水の入れ替えや容器の掃除をするときに蓬莱竹１をゼロライト５を籠ごと容器２から取り出せるようにするために有効であるが、必ずしも使用しなければならないというものではない。また、竹の立位姿勢を安定させるために籠以外の手段を用いてもよい。
【００１９】
なお、本発明は、蓬莱竹に限るものではなく、蓬莱竹を含む観賞用の竹を使用した屋内緑化に広く適用できる。
【図面の簡単な説明】
【００２０】
【図１】本発明の実施の形態の一例における竹栽培方法の説明図である。
【符号の説明】
【００２１】
１  蓬莱竹
２  容器
３  床面
４  籠
５  ゼオライト
６  水（殺菌済み蒸留水）
【図１】
2006254764.tif 000003